(57)【特許請求の範囲】
【請求項１】
低解像度の撮像素子と赤外線センサとを内蔵した浴室内監視装置であって、
センサ部の内面側に前記撮像素子と前記赤外線センサとを実装し、浴室側に向けて開口した浴室側開口部を備えたセンサ収納室の当該浴室側開口部を前記センサ部で覆って前記センサ収納室内に前記撮像素子と前記赤外線センサを収納し、センサ収納室の浴室側開口部周囲とセンサ部の内面周囲との間にシール部材を挟み込んでセンサ収納室の浴室側開口部を気密的に塞ぎ、センサ収納室の浴室壁面への取付面に設けられた配線を通すための開口に雌ネジ部を形成し、前記センサ収納室の浴室壁面への取付面に弾性封止用部材を接着すると共に当該弾性封止用部材に前記配線用の開口と対向する通孔を形成し、前記配線用の開口の周囲から背面側へ向けて突出させた封止用当接部の下半分を上半分よりも引っ込めておき、当該封止用当接部の端面を前記弾性封止用部材に接触させたことを特徴とする浴室内監視装置。
【請求項２】
前記封止用部材の存在していない箇所で前記収納室の浴室壁面への取付面に突起を突設したことを特徴とする、請求項１に記載の浴室内監視装置。
【請求項３】
設置後の状態においては前記センサ部の前面を斜め下方に向けて傾斜させており、前記センサ部の前面に設けた透明な窓に前記撮像素子を対向させていることを特徴とする、請求項１に記載の浴室内監視装置。
【請求項４】
前記センサ収納室の壁面にあけた貫通口に室温センサを挿通させ、室温センサと前記壁面の貫通口との間の隙間をシール部材によって塞いだことを特徴とする、請求項１に記載の浴室内監視装置。
【請求項５】
前記センサ部にあけた貫通口に赤外線センサ用の保護部材を挿通させ、保護部材と前記貫通口との間の隙間をシール部材によって塞ぎ、保護部材の背後に前記赤外線センサを配置させたことを特徴とする、請求項１に記載の浴室内監視装置。
【請求項６】
前記センサ部にあけた貫通口に発光素子用のライトガイドを挿通させ、ライトガイドと前記貫通口との間の隙間をシール部材によって塞ぎ、ライトガイドの背後に前記発光素子を配置させたことを特徴とする、請求項１に記載の浴室内監視装置。
【発明の詳細な説明】
【０００１】
【発明の属する技術分野】
本発明は、浴室内に設置しておき、浴室内における人の入退室や人の動き等をモニターするための浴室内監視装置に関する。
【０００２】
【発明の技術的背景】
従来の浴室内監視装置には、いわゆる人工網膜センサや赤外線センサなどを用いたものがある。しかし、従来の浴室内監視装置では、個々に構成されており、人工網膜センサを用いた浴室内監視装置と赤外線センサを用いた浴室内監視装置などとは別々のケースに収められている。
【０００３】
よって、人工網膜センサと赤外線センサによって浴室内を監視させようとすれば、それぞれの浴室内監視装置を浴室に取り付けなければならず、浴室内の外観が悪くなると共に、取付け工事の手間も掛かっていた。
【０００４】
また、浴室内監視装置は、浴室内に設置されるため、浴室内の蒸気や湿気によってセンサ類が劣化する恐れがあり、より確実な防水構造を必要としている。
【０００５】
【発明の開示】
本発明は上記の技術的背景に鑑みてなされたものであり、その目的とするところは複数種類のセンサを一緒にした浴室内監視センサを提供することにある。
【０００６】
また、本発明の別な目的は、より完全な防水、防湿構造を有する浴室内監視装置を提供することにある。
【０００７】
請求項１に記載の浴室内監視装置は、低解像度の撮像素子と赤外線センサとを内蔵した浴室内監視装置であって、センサ部の内面側に前記撮像素子と前記赤外線センサとを実装し、浴室側に向けて開口した浴室側開口部を備えたセンサ収納室の当該浴室側開口部を前記センサ部で覆って前記センサ収納室内に前記撮像素子と前記赤外線センサを収納し、センサ収納室の浴室側開口部周囲とセンサ部の内面周囲との間にシール部材を挟み込んでセンサ収納室の浴室側開口部を気密的に塞ぎ、センサ収納室の浴室壁面への取付面に設けられた配線を通すための開口に雌ネジ部を形成し、前記センサ収納室の浴室壁面への取付面に弾性封止用部材を接着すると共に当該弾性封止用部材に前記配線用の開口と対向する通孔を形成し、前記配線用の開口の周囲から背面側へ向けて突出させた封止用当接部の下半分を上半分よりも引っ込めておき、当該封止用当接部の端面を前記弾性封止用部材に接触させたことを特徴としている。
【０００８】
請求項１に記載の浴室内監視装置にあっては、センサ部の内面側に前記撮像素子と前記赤外線センサとを実装し、浴室側に向けて開口した浴室側開口部を備えたセンサ収納室の当該浴室側開口部を前記センサ部で覆って前記センサ収納室内に前記撮像素子と前記赤外線センサを収納し、センサ収納室の浴室側開口部周囲とセンサ部の内面周囲との間にシール部材を挟み込んでいるので、センサ部とセンサ収納室の開口との間からセンサ収納室内に湿気や水滴が浸入するのを防止することができ、水滴や湿気で撮像素子や赤外線センサあるいは電気回路が損傷したり、劣化したりするのを防止できる。なお、シール部材としては、例えばゴムや軟質プラスチックのパッキン、両面粘着シート等を用いることができる。
さらに、センサ収納室の浴室壁面への取付面に設けられた配線を通すための開口に雌ネジ部を形成しているので、浴室壁面に貫通させた配線用パイプを雌ネジ部に接続させ、配線を配線用パイプに通すことができる。よって、浴室内監視装置の内部を浴室内の湿気から確実に遮断することができる。
また、前記センサ収納室の浴室壁面への取付面に弾性封止用部材を接着すると共に当該弾性封止用部材に前記配線用の開口と対向する通孔を形成しているので、配線用の開口に配線用パイプを接続しない場合でも、配線用の開口の周囲と浴室壁面との間を弾性用封止部材で塞ぐことができる。
さらに、請求項１に記載の浴室内監視装置においては、前記配線用の開口の周囲から背面側へ向けて突出させた封止用当接部の下半分を上半分よりも引っ込めておき、当該封止用当接部の端面を前記弾性封止用部材に接触させているので、配線用の開口と対向する位置で浴室壁面に配線することができない場合には、配線用の開口から引き出した配線を封止用当接部の下半分を通過させて配線用の開口から外れた位置へ導くことができ、配線が封止用当接部と浴室壁面との間に挟まれて断線する恐れが無い。さらに、封止用当接部の下半分が上半分よりも突出していても、封止用当接部の下半分が弾性封止用部材に接触することで隙間が生じにくくなる。しかも、封止用当接部の下半分は封止用当接部の上半分で覆われるので、封止用当接部の下半分に水が流れ込みにくくなる。
【０００９】
さらに、請求項１に記載の浴室内監視装置は、低解像度の撮像素子と赤外線センサとを一緒に内蔵されているので、撮像素子を用いた浴室内監視装置と赤外線センサを用いた浴室内監視装置とを別々に設置する必要がなくなり、浴室内の外観を良好にすることができる。また、浴室内監視装置の取付け工事の手間も簡単になり、施工コストも安価になる。また、撮像素子と赤外線センサとを同一のケースに納めることで製造コストも安価にすることができる。
【００１０】
請求項２に記載の浴室内監視装置は、請求項２に記載の浴室内監視装置において、前記封止用部材の存在していない箇所で前記収納室の浴室壁面への取付面に突起を突設したことを特徴としている。
【００１１】
請求項２に記載の浴室内監視装置にあっては、封止用部材の存在していない箇所でケースの背面に突起を突設しているので、ケースの背面をネジで浴室の壁面に取り付けたとき、ネジを締め付け過ぎても突起が浴室の壁面に当たると、それ以上ネジを締めることができなくなる。よって、ネジの締め過ぎによって弾性封止用部材が潰されて封止性が悪くなるのを防止することができる。
【００１２】
請求項３に記載の浴室内監視装置にあっては、請求項１に記載の浴室内監視装置において、設置後の状態においては前記センサ部の前面を斜め下方に向けて傾斜させており、前記センサ部の前面に設けた透明な窓に前記撮像素子を対向させていることを特徴としている。
【００１３】
請求項３に記載の浴室内監視装置にあっては、設置後の状態で撮像素子と赤外線センサを実装したセンサ部の前面を斜め下方に向けて傾斜させているので、撮像素子に対向している窓に水滴が付着しても、水滴はセンサ部の前面に沿って排水され、撮像素子等が収納されている空間に水滴が浸入しにくくなる。よって、水滴や湿気で撮像素子や赤外線センサあるいは電気回路が損傷したり、劣化したりするのを防止できる。さらには、撮像素子に対向している窓に水滴が溜まりにくくなるので、水滴で撮像素子の画像が歪みにくくなり、撮像素子の誤検知を防止することができる。
【００１４】
請求項４に記載の浴室内監視装置にあっては、請求項１に記載の浴室内監視装置において、前記センサ収納室の壁面にあけた貫通口に室温センサを挿通させ、室温センサと前記壁面の貫通口との間の隙間をシール部材によって塞いだことを特徴としている。
【００１５】
請求項４に記載の浴室内監視装置にあっては、室温センサと室温センサを挿通させる貫通口との間をシール部材によって封止しているので、室温センサを挿通させている貫通孔から撮像素子等を収納している空間に湿気や水滴が浸入するのを防止することができ、水滴や湿気で撮像素子や赤外線センサあるいは電気回路が損傷したり、劣化したりするのを防止できる。なお、シール部材としては、例えばゴムや軟質プラスチックのパッキンやＯリングを用いることができる。
【００１６】
請求項５に記載の浴室内監視装置は、請求項１に記載の浴室内監視装置において、前記センサ部にあけた貫通口に赤外線センサ用の保護部材を挿通させ、保護部材と前記貫通口との間の隙間をシール部材によって塞ぎ、保護部材の背後に前記赤外線センサを配置させたことを特徴としている。
【００１７】
上記保護部材は、一般的にはポリエチレンによって形成されており、この保護部材の前面部分の肉厚を調整することによって赤外線センサの感度を調整することができる。請求項５に記載の浴室内監視装置にあっては、この保護部材と保護部材を挿通させる貫通口との間をシール部材によって封止しているので、保護部材を挿通させている貫通孔から撮像素子等を収納している空間に湿気や水滴が浸入するのを防止することができ、水滴や湿気で撮像素子や赤外線センサあるいは電気回路が損傷したり、劣化したりするのを防止できる。なお、赤外線センサ用の保護部材としては、キャップ状をしたものや平板状のものなどを用いることができる。また、シール部材としては、例えばゴムや軟質プラスチックのパッキンやＯリング、両面粘着シート等を用いることができる。
【００１８】
請求項６に記載の浴室内監視装置は、請求項１に記載の浴室内監視装置において、前記センサ部にあけた貫通口に発光素子用のライトガイドを挿通させ、ライトガイドと前記貫通口との間の隙間をシール部材によって塞ぎ、ライトガイドの背後に前記発光素子を配置させたことを特徴としている。
【００１９】
上記ライトガイドは、一般的には屈折率が高くて透明な樹脂によって形成されており、発光素子の光を収納空間の壁面まで導いて発光素子の光が見え易くしている。請求項６に記載の浴室内監視装置にあっては、このライトガイドとライトガイドを挿通させる貫通口との間をシール部材によって封止しているので、ライトガイドを挿通させている貫通孔から撮像素子等を収納している空間に湿気や水滴が浸入するのを防止することができ、水滴や湿気で撮像素子や赤外線センサ、発光素子あるいは電気回路が損傷したり、劣化したりするのを防止できる。なお、シール部材としては、例えばゴムや軟質プラスチックのパッキンやＯリング、両面粘着シート等を用いることができる。
【００２０】
【発明の実施の形態】
図１（ａ）（ｂ）は、本発明にかかる浴室内監視装置１の正面図及び側面図であって、浴室内監視装置１は監視装置本体２とカバー３によって構成されている。図２は、当該監視装置本体２からカバー３を外した状態の正面図である。監視装置本体２は、図３に示すように、内部ケース４とセンサ部５からなり、内部ケース４の開口部分にセンサ部５が取付けられている。
【００２１】
まず、センサ部５の構造について説明する。センサ部５は、図４に示すように、プラスチック製のフロントパネル６と、フロントパネル６の表面に貼り付けられた防水シート７と、フロントパネル６の裏面に取付けられたセンサ基板８とから構成されている。センサ基板８は、プリント配線基板９の表面に、低解像度の撮像センサ１０（以下、人工網膜センサという。なお、人工網膜センサについては、例えば特願平１１−２２０３７４号に開示されている。）、赤外線センサ１１、ＬＥＤ等の発光素子１２を実装したものである。また、センサ基板８には、各センサを駆動するための駆動回路や処理回路なども実装されていてもよい。フロントパネル６の裏面には、４本の支柱１３、１４が立てられており、そのうちの２本の支柱１３の端面には突起１５が突出している。また、残りの２本の支柱１４の端面には雌ネジ穴１６が設けられている。これに対応して、プリント配線基板９には、小孔１７とネジ通し孔１８が設けられている。しかして、センサ基板８は、小孔１７に突起１５を挿入すると共にネジ通し孔１８に通したネジ１９を雌ネジ穴１６に螺合させることにより、フロントパネル６の背面に固定される（図５〜図７参照）。
【００２２】
フロントパネル６の撮像センサ１０と対向する位置には、図５に示すように、四角形の開口２０が設けられており、開口２０はフロントパネル６の前面に両面粘着シートないし粘着剤で接着されたアクリル樹脂製の透明フィルム２１によって気密的に塞がれている。これによって人工網膜センサ１０の前面は透明になっていて浴室内の様子をモニターし易くしている。また、図６に示すように、フロントパネル６の赤外線センサ１１と対向する位置にも開口２２が設けられており、この開口２２内にはポリエチレン樹脂製の保護キャップ２３がはめ込まれ、保護キャップ２３と開口２２の間は保護キャップ２３の外周に嵌められたゴムのＯリング２４によって気密的に封止されている。このようなポリエチレン製の保護キャップ２３を用いれば、保護キャップ２３の前面部分の膜厚ｔによって赤外線センサ１１の感度を調整することができる。センサ基板８上の発光素子１２と対向する位置には、筒状の通孔２５が設けられており、通孔２５内には発光素子１２からの光を表面に導くためのアクリル樹脂製のライトガイド２６が挿入され、ライトガイド２６の挿入されている通孔２５は、防水シート７によって気密的に封止されている。
【００２３】
防水シート７は、透明なポリエチレンテレフタレート（ＰＥＴ）製のシートの裏面に不透明な塗料を塗布し、そのうえに両面粘着シートを貼ったものであり、両面粘着シートによってフロントパネル６の前面に接着されている。この防水シート７では、フロントパネル６の開口２０、２２と対向する位置に、それぞれ開口２０、２２とほぼ同じ大きさの窓２８，２９が設けられている。また、フロントパネル６の通孔２５と対向する領域３０では、不透明な塗料の代わりに半透明ないし乳白色の塗料が塗布されており、発光素子１２の光をライトガイド２６によってセンサ部５の前面へ導くと同時に半透明ないし乳白色の塗料によって光を拡散させている。
【００２４】
両面粘着シートは、ポリエチレンには接着しないので、保護キャップ２３の箇所はＯリング２４だけで封止されているが、両面粘着シートはアクリル製のライトガイド２６には接着するので、防水シート７をライトガイド２６の縁に接着させることによってライトガイド２６を挿入されている通孔２５を封止している。また、防水シート７をアクリル製の透明フィルム２１の縁に接着させ、防水シート７によっても透明フィルム２１の箇所を封止することもできる。
【００２５】
また、フロントパネル６の裏面には、人工網膜センサ１０に対向するれ開口２０、赤外線センサ１１に対向する開口２２、発光素子１２に対向する通孔２５を囲むようにして封止用突部３１が環状に突設されている。封止用突部３１の外側に周設されているフランジ３２には、通孔３３と小孔３４があけられている。
【００２６】
内部ケース４は、図３に示すように、取付け基台３５の上に容器状のセンサ収納室３６を設けたものである。センサ収納室３６の一方側面には室温センサ３７が取付けられている。図８（ａ）（ｂ）及び図９は、この室温センサ３７の取付け構造を説明する図である。室温センサ３７の外周には、図９に示すように、リング３８が一体に設けられており、室温センサ３７の後端からはリード線３９が出ている。４０はゴムのＯリング、４１は金属製のスペーサである。また、４２は金属製のスペーサ押えであって、スペーサ押え４２には、室温センサ３７の先端部を挿通させて室温センサ３７に外嵌されたスペーサ４１を押さえるための溝４３と、ビス４４を挿通させるためのビス通し孔４５とが設けられている。センサ収納室３６の側壁には、室温センサ３７を挿入するためのセンサ収納孔４６と雌ネジ孔４７が設けられている。センサ収納孔４６は、図８（ｂ）に示すように、リング３８及びスペーサ４１の外径とほぼ等しい内径を有しているが、センサ収納孔４６の奥には鍔部４８が周設されており、鍔部４８ではセンサ収納孔４６の内径が小さくなっている。
【００２７】
しかして、室温センサ３７に後端からＯリング４０を嵌め、センサ収納孔４６にリード線３９を通すと共にＯリング４０を嵌めた室温センサ３７をセンサ収納孔４６内に収納し、室温センサ３７の前端にスペーサ４１を嵌めてスペーサ４１をセンサ収納孔４６内に挿入する。ついで、溝４３に室温センサ３７の先端部を挿通させると共にスペーサ押え４２でスペーサ４１を押さえるようにしてセンサ収納室３６の側面にスペーサ押え４２を取付け、ビス通し孔４５に通したビス４４を雌ネジ孔４７に螺合させる。そして、ビス４４を締め込むことでスペーサ押え４２によってスペーサ４１及びリング３８をセンサ収納孔４６内に押し込み、リング３８と鍔部４８の間にＯリング４０を挟み込み、室温センサ３７とセンサ収納孔４６との間を気密的に封止する。室温センサ３７のリード線３９は、コネクタ２７をセンサ基板８に接続される。
【００２８】
センサ収納室３６の前面には、センサ部５を取付けてセンサ基板８を収納するための凹部４９が開口しており、凹部４９の開口部全周に設けられた溝５０内にはゴムパッキン５１が納められている。また、この溝５０の外側には、位置決め用突起５２とネジ孔５３とが設けられている。また、凹部４９の奥面（もしくは、取付け基台３５）には、センサ基板８からのリード線７０などを通すための通孔５５が開口されており、この通孔５５は取付け基台３５の裏面で開口している。
【００２９】
しかして、センサ収納室３６の前面にセンサ部５を取り付けると、センサ収納室３６の位置決め用突起５２がセンサ部５の小孔３４にはまってセンサ部５が位置決めされ、センサ部５の裏面に突出している封止用突部３１がゴムパッキン５１に当たる。ついで、センサ部５の通孔３３に通したネジ５４をセンサ収納室３６のネジ孔５３に螺合させ、ネジ５４を強く締め込むと、ゴムパッキン５１が封止用突部３１と溝５０との間で強く締め付けられ、センサ収納室３６とセンサ部５の間が気密的に封止される。この結果、人工網膜センサ１０や赤外線センサ１１、発光素子１２等を実装されたセンサ基板８が凹部４９内に納められ、センサ収納孔４６は室温センサ３７との間のＯリング４０によって封止され、センサ収納室３６とセンサ部５の間もゴムパッキン５１によって封止され、またセンサ部５のフロントパネル６も前記のように封止構造となっているので、後述のようにして通孔５５を浴室内部と縁切りすれば、凹部４９内に浴室の湿気や水分が浸入することがなく、センサ基板８が湿気や水分から保護され、浴室内監視装置１の耐水性と耐久性を向上させることができる。
【００３０】
内部ケース４の取付け基台３５には、浴室内監視装置１を浴室の壁面等にネジ止めするためのネジ止め用孔５６が設けられており、一方のネジ止め用孔５６は縦長状となり、他方のネジ止め用孔５６は横長状となっているので、浴室内監視装置１の取付け位置調整を容易に行える。また、取付け基台３５の両側前部には、カバー３を取付けるための爪係止部５７が設けられている。
【００３１】
図２に示すように、カバー３の前面には、センサ窓５８が開口されており、その両側には通気孔５９が開口されている。また、図示しないが、カバー３の前部内面には係止爪が設けられ、後部内面には突起が設けられている。しかして、カバー３を内部ケース４のセンサ収納室３６に被せ、カバー３の後部内面の突起を内部ケース４の背面に設けられた凹部（図示せず）に嵌め、さらにカバー３の係止爪を取付け基台３５の爪係止部５７に引っ掛けると、カバー３が内部ケース４に取付けられ、センサ部５の前面の一部がセンサ窓５８から露出させられる。
【００３２】
こうして人工網膜センサ１０や赤外線センサ１１は、外部に対向するように配置され、浴室内における人の入退室や人の動きを監視する。人工網膜センサ１０や赤外線センサ１１がオンになっていてセンシング動作しているときには、発光素子１２が点灯する。また、浴室内の空気は、カバー３の通気孔５９から入ってカバー３内を通風するので、室温センサ３７によって浴室内の室温を検知することができる。
【００３３】
図１０（ａ）は浴室内監視装置１の裏面図であって、浴室の壁等に対向させて取り付けられる面を表している。図１０（ａ）に示すように取付け基台３５の裏面中央部には通孔５５が露出しており、通孔５５の周囲には配線用パイプを接続するための雌ネジ部６０（内周面にネジが形成されている。）が設けられ、さらに雌ネジ部６０の外側には、筒状をした封止用当接部６１が設けられており、封止用当接部６１の下半分６２ｂは切り欠かれていて上半分６２ａが下半分６２ｂよりも突出している。また、この通孔５５の部分の両側には窪み６３が形成されており、その両側にはリブ６４が突設され、その外側にネジ止め用孔５６が開口している。
【００３４】
浴室内監視装置１の裏面においては、封止用当接部６１の上半分６２ａの端面は、取付け基台３５の裏面と面一となっており、封止用当接部６１の下半分６２ｂは取付け基台３５の裏面から引っ込んでいる。また、リブ６４は、取付け基台３５の裏面から突出している。
【００３５】
図１１（ａ）（ｂ）は浴室内監視装置１を浴室壁面６８の上部に取り付けた状態を示している。浴室内監視装置１は、監視装置本体２の裏面と浴室壁面６８との間に板状をした封止用パッキン６５を挟んで取り付けられる。封止用パッキン６５は、図１０（ｂ）に示すように、浴室内監視装置１の裏面とほぼ同様な形状を有しているが、横幅はリブ６４間の距離よりも短くなっており、中央部には浴室内監視装置１の通孔５５と対向する通孔６６が開口され、その両側には浴室内監視装置１の窪み６３と対向するサイド孔６７が開口されている。封止用パッキン６５は、気泡を含んだ弾力性のあるゴムやプラスチックによって形成されており、両面に粘着剤を塗布され、使用前の状態では両面の粘着剤の上に養生紙が貼られている。
【００３６】
浴室内監視装置１を浴室壁面６８に取り付ける場合には、監視装置本体２からカバー３を外しておき、監視装置本体２の裏面に粘着剤で封止用パッキン６５を貼り付ける。このとき、封止用パッキン６５は、リブ６４と重ならないようにしてリブ６４間に貼り付けられる。ついで、浴室壁面６８内に配線用パイプを通す場合には、裏面の雌ネジ部６０に配線用パイプ６９を接続し、配線用パイプ６９にセンサ基板８からのリード線７０を通し、配線用パイプ６９を浴室壁面６８に通して監視装置本体２の背面を浴室壁面６８に当て、裏面の封止用パッキン６５を浴室壁面６８に接着させる。また、配線用パイプ６９には、壁面を挟み込むようにナットが取り付くようになっており、ナットの締め付けで封止用パッキン６５を圧接し固定するようになっている。
【００３７】
または、封止用パッキン６５を介して浴室壁面６８と監視装置本体２を接着させた後、ネジ止め用孔５６から浴室壁面６８にネジを打って監視装置本体２を浴室壁面６８にネジ止めする。このときネジを締め付けることにより封止用パッキン６５が押し潰されて監視装置本体２の背面と浴室壁面６８の隙間が塞がれ、通孔５５から内部に水滴や蒸気などが浸入するのが防止される。特に、通孔５５を取り囲んでいる封止用当接部６１が封止用パッキン６５に圧接することで、通孔５５が封止される。
【００３８】
また、監視装置本体２の裏面に突設しているリブ６４が浴室壁面６８に当接しているので、監視装置本体２を浴室壁面６８に取り付けるとき、いくら強くネジを締め過ぎても封止用パッキン６５は一定の厚み以下に潰されることが無く、封止用パッキン６５の劣化を防止することができる。こうして監視装置本体２が浴室壁面６８に固定されると、監視装置本体２にカバー３が取り付けられる。
【００３９】
浴室内監視装置１の前面は斜めに傾いているので、図１１（ａ）のようにして浴室壁面６８の壁面に取り付けられると、センサ部５は浴室壁面６８に対して斜め下方を向いて斜めに配設され、人工網膜センサ１０及び赤外線センサ１１も浴室内斜め下方を向けられる。このため、センサ部５の前面に水滴が付着しても水滴はセンサ部５の表面に沿って流れ落ち、センサ基板８の表面や周囲に溜まりにくくなり、センサ部５の防水性が向上する。また、人工網膜センサ１０の前方に水滴が付着すると、画像が歪んで正しい画像情報が得られなくなり、人工網膜センサ１０が誤検知する恐れがあるが、センサ基板８を斜めにして排水を良好にすることで、人工網膜センサ１０の誤検知を防ぐことができる。
【００４０】
また、場合によっては、監視装置本体２の通孔５５と対向する位置で浴室壁面６８に配線することができず、監視装置本体２の窪み６３と対向する位置で浴室壁面６８を開口してリード線７０を通す場合がある。この場合には、図１１（ａ）で破線で示すように、通孔５５から引き出したリード線７０を封止用当接部６１の下半分６２ｂの端面を通過させて窪み６３へ導き、封止用パッキン６５のサイド孔６７に通して浴室壁面６８へ配線する。このように封止用当接部６１の下半分６２ｂを欠いておけば、この端面にリード線７０を配線することができ、リード線７０が封止用当接部６１と浴室壁面６８との間に挟まれて断線する恐れが無くなる。
【００４１】
リード線７０を通過させるための切り欠きは、封止用当接部６１の端面に小さく形成することもできるが、リード線７０を通すことができる程度の小さな切り欠きであると、封止用パッキン６５と切り欠きとの間に隙間が生じる。これに対し、図１１（ａ）又は図１０（ａ）に示すように大きく切り欠いておけば、切り欠いた部分も封止用パッキン６５に圧接し、隙間が生じにくくなる。図示例では、封止用当接部６１の上半分６２ａと下半分６２ｂとの間はステップ上になっているが、斜めにしたり、滑らかにしたりすれば、より隙間が生じにくくなる。また、上半分に切り欠きがあると、浴室壁面６８に沿って流れ落ちた水滴が切り欠きを通って浸入する恐れがあるので、通孔５５の上方は封止用当接部６１で確実に覆っておき、切り欠きは封止用当接部６１の下部に設けておくのが望ましい。
【００４２】
【発明の効果】
本発明の請求項１〜６に記載の浴室内監視装置は、いずれも撮像素子と赤外線センサとを一緒に内蔵されているので、撮像素子を用いた浴室内監視装置と赤外線センサを用いた浴室内監視装置とを別々に設置する必要がなくなり、浴室内の外観を良好にすることができる。また、浴室内監視装置の取付け工事の手間も簡単になり、施工コストも安価になる。また、撮像素子と赤外線センサとを同一のケースに納めることで製造コストも安価にすることができる。
【００４３】
また、請求項１〜６の浴室内監視装置は、水滴や湿気が浸入して撮像素子や赤外線センサあるいは電気回路が損傷したり、劣化したりするのを防止でき、耐水性と耐久性が向上する。
【図面の簡単な説明】
【図１】（ａ）（ｂ）は本発明の一実施形態にかかる浴室内監視装置の正面図及び側面図である。
【図２】同上の浴室内監視装置において、監視装置本体からカバーを外した状態の正面図である。
【図３】同上の監視装置本体において、内部ケースからセンサ部を分離した状態の斜視図である。
【図４】同上のセンサ部の分解斜視図である。
【図５】図４のＸ１−Ｘ１線に沿った断面における、センサ部の分解断面図である。
【図６】図４のＸ２−Ｘ２線に沿った断面における、センサ部の分解断面図である。
【図７】図４のＸ３−Ｘ３線に沿った断面における、センサ部の分解断面図である。
【図８】（ａ）は監視装置本体の内部ケース側面に取付けられた室温センサを示す図、（ｂ）はその内部ケースの側面の一部を断面した図である。
【図９】監視装置本体の内部ケースに室温センサを取付けるための構造を示す分解斜視図である。
【図１０】（ａ）は室内監視装置の裏面の形状を示す図、（ｂ）は封止用パッキンの裏面図である。
【図１１】（ａ）（ｂ）は浴室の壁面に取り付けられた浴室内監視装置の断面図及び平面図（カバーを省略している。）である。
【符号の説明】
２      監視装置本体
３      カバー
４      内部ケース
５      センサ部
６      フロントパネル
８      センサ基板
１０      人工網膜センサ（撮像素子）
１１      赤外線センサ
１２      発光素子
２３      保護キャップ（保護部材）
２４      Ｏリング（シール部材）
２６      ライトガイド
２８，２９      窓
３６      センサ収納室
３７      室温センサ
４０      Ｏリング（シール部材）
４６      センサ収納孔
５１      ゴムパッキン（シール部材）
５５ 通孔（配線用の開口）
６１      封止用当接部
６２ａ      上半分
６２ｂ      下半分
６４      リブ（突起）
６５      封止用パッキン（弾性封止用部材）
６６ 通孔
【図１】
0003747805.tif 000002
【図２】
0003747805.tif 000003
【図３】
0003747805.tif 000004
【図４】
0003747805.tif 000005
【図５】
0003747805.tif 000006
【図６】
0003747805.tif 000007
【図７】
0003747805.tif 000008
【図８】
0003747805.tif 000009
【図９】
0003747805.tif 000010
【図１０】
0003747805.tif 000011
【図１１】
0003747805.tif 000012